(57)【要約】【課題】電源部に収納した電池の消耗状態を一目で確認することができる浄水器を提供する。【解決手段】本発明の浄水器は、フィルタと、外部ケースと、各種情報の変化を表示する表示部と、その内部に収納された電池から表示部に電力を供給する電源部と、を備えた浄水器であって、表示部８０が、円形状８１と、円形状８１に隣接して一方向に複数配列された三日月形状８２と、これらの形状の周りを囲う点線の長円形状８３とを点灯して表示可能な表示面８５を有する液晶基板８４から構成され、各種情報が変化する前には、表示面８５の円形状８１、及び三日月形状８２の全てが点灯し、各種情報の変化に伴い、三日月形状８２が円形状８１から遠い順に徐々に消灯し、最終的に、円形状８１も消灯し、長円形状８３の点線の一部が、点灯部位が長円形状に沿って移動するように点灯して、各種情報の変化の経緯を表示するものである。【選択図】図９
2008119691.tif 000002
【特許請求の範囲】
【請求項１】
フィルタと、各種情報の変化を表示する表示部と、その内部に収納された電池から前記表示部に電力を供給する電源部と、を備えた浄水器であって、
前記表示部が、円形状と、前記円形状に隣接して一方向に複数配列された三日月形状と、これらの形状の周りを囲う点線の長円形状とを点灯して表示可能な表示面を有する液晶基板から構成され、
前記各種情報が変化する前には、前記表示面の前記円形状、及び前記三日月形状の全てが点灯し、前記各種情報の変化に伴い、前記三日月形状が前記円形状から遠い順に徐々に消灯し、最終的に、前記円形状も消灯し、前記長円形状の点線の一部が、点灯部位が前記長円形状に沿って移動するように点灯して、前記各種情報の変化の経緯を表示するものであることを特徴とする浄水器。
【請求項２】
前記各種情報が、前記電源部に収納された前記電池の残りの電力であり、
前記電源部に収納された前記電池の電力が最大のときには、前記表示面の前記円形状、及び前記三日月形状の全てが点灯し、前記電池の電力の消費とともに、前記三日月形状が前記円形状から遠い順に徐々に消灯し、前記電池の交換時期には、前記円形状も消灯し、前記長円形状の点線の一部が、点灯部位が前記長円形状に沿って移動するように点灯して、前記電池の交換時期を表示する請求項１に記載の浄水器。
【請求項３】
前記電池が、コイン型電池である請求項１又は２に記載の浄水器。
【請求項４】
前記各種情報が、積算流量、時刻、ｐＨ及び導電率からなる群から選択される少なくとも一の情報を含む請求項１〜３のいずれかに記載の浄水器。
【請求項５】
前記フィルタがセラミックスフィルタである請求項１〜４のいずれかに記載の浄水器。
【請求項６】
前記フィルタが、その端部側から浄化液を取り出す構造を有するものである請求項１〜５のいずれかに記載の浄水器。
【請求項７】
前記フィルタが、その外周壁側から浄化液を取り出す構造を有するものである請求項１〜５のいずれかに記載の浄水器。
【発明の詳細な説明】
【技術分野】
【０００１】
本発明は、浄水器に関する。さらに詳しくは、その内部に収納した電池から電力を供給する電源部を有し、電源部に配設された陽極端子の変形に起因する電池の接触不良が有効に防止された浄水器に関する。
【背景技術】
【０００２】
近年、化学工業、食品工業等の分野におけるプロセス機器や水道水の家庭用の浄水器において、原液をその内部に透過させて除菌、濾過等の浄化を行うフィルタとして、セラミックス製膜や活性炭等のフィルタエレメントをケースに収納したフィルタカートリッジを用いたものが使用されている。
【０００３】
このようなフィルタカートリッジを備えた浄水器としては、例えば、少なくとも活性炭を含む濾過層を有するフィルタカートリッジとケースに内蔵されたセラミックス製膜フィルタとを備えたものが提案されている（例えば、特許文献１参照）。
【０００４】
この浄水器は、交換が簡易で、メンテナンス性の面において一定の効果を発揮するとともに、セラミックス製膜フィルタの目詰まりや圧力損失の上昇を抑えることができる点で優れたものである。
【０００５】
また、現在、その内部に収納された電池から電力を供給する電源部と、液晶基板等の表示部とを備え、例えば、浄水器の積算流量やフィルタカートリッジの交換時期等を表示することが可能な浄水器が提案されている（例えば、特許文献２及び３参照）。
【０００６】
このような浄水器は、例えば、図１１に示すように、コイン型電池９１を保持する電池ケース９２と、電池ケース９２と着脱可能な蓋９３とを有する電源部９０を備えてなり、この蓋９３には、その電池ケース９２との接触部分９４に、電源部９０の陽極端子９５に対応した溝９６が設けられている。このように構成された浄水器は、蓋９３を、その溝９６に陽極端子９５が挿入されるようにして電池ケース９２に装着することによって、電源部９０の省スペース化が実現されるとともに、液密性を向上させることができる。
【０００７】
【特許文献１】特許第３１２４６２７号公報
【特許文献２】特開２０００−１７６４４６号公報
【特許文献３】特開２００２−２１０４５９号公報
【発明の開示】
【発明が解決しようとする課題】
【０００８】
しかしながら、図１１に示したような電源部９０を備えた浄水器においては、電源部９０の電池ケース９２にコイン型電池９１を収納し、その電池ケース９２に上述したように構成された蓋９３を取りつける際に、図１２に示すように、蓋９３がずれた状態や偏った状態で取り付けられることがあるために、蓋９３の電池ケース９２との接触部分９４によって陽極端子９５が押し曲げられて変形し、収納したコイン型電池９１が接触不良を起こすという問題があった。また、コイン型電池９１を電池ケース９２に収納する際にも、コイン型電池９１自体で陽極端子９５を変形させてしまうことがあり、この場合もまたコイン型電池９１が接触不良を起こすという問題があった。また、電源部９０の構造上、この陽極端子９５の形状を変更することは困難であり、上述した問題に対して有効な対策が講じられていないという現状があった。
【０００９】
本発明は、上述の問題に鑑みてなされたもので、その内部に収納した電池から電力を供給する電源部を有し、電源部に配設された陽極端子の変形に起因する電池の接触不良が有効に防止された浄水器を提供することを目的とする。
【課題を解決するための手段】
【００１０】
本発明は、上述の課題を解決するべく、以下の浄水器を提供するものである。
【００１１】
［１］  フィルタと、各種情報の変化を表示する表示部と、その内部に収納された電池から前記表示部に電力を供給する電源部と、を備えた浄水器であって、前記表示部が、円形状と、前記円形状に隣接して一方向に複数配列された三日月形状と、これらの形状の周りを囲う点線の長円形状とを点灯して表示可能な表示面を有する液晶基板から構成され、前記各種情報が変化する前には、前記表示面の前記円形状、及び前記三日月形状の全てが点灯し、前記各種情報の変化に伴い、前記三日月形状が前記円形状から遠い順に徐々に消灯し、最終的に、前記円形状も消灯し、前記長円形状の点線の一部が、点灯部位が前記長円形状に沿って移動するように点灯して、前記各種情報の変化の経緯を表示するものであることを特徴とする浄水器。
【００１２】
［２］  前記各種情報が、前記電源部に収納された前記電池の残りの電力であり、前記電源部に収納された前記電池の電力が最大のときには、前記表示面の前記円形状、及び前記三日月形状の全てが点灯し、前記電池の電力の消費とともに、前記三日月形状が前記円形状から遠い順に徐々に消灯し、前記電池の交換時期には、前記円形状も消灯し、前記長円形状の点線の一部が、点灯部位が前記長円形状に沿って移動するように点灯して、前記電池の交換時期を表示する前記［１］に記載の浄水器。
【００１３】
［３］  前記電池が、コイン型電池である前記［１］又は［２］に記載の浄水器。
【００１４】
［４］  前記各種情報が、積算流量、浄水の鉛含有量、時刻、ｐＨ及び導電率からなる群から選択される少なくとも一の情報を含む前記［１］〜［３］のいずれかに記載の浄水器。
【００１５】
［５］  前記フィルタがセラミックスフィルタである前記［１］〜［４］のいずれかに記載の浄水器。
【００１６】
［６］  前記フィルタが、その端部側から浄化液を取り出す構造を有するものである前記［１］〜［５］のいずれかに記載の浄水器。
【００１７】
［７］  前記フィルタが、その外周壁側から浄化液を取り出す構造を有するものである前記［１］〜［５］のいずれかに記載の浄水器。
【発明の効果】
【００１８】
本発明の浄水器は、電源部に収納した電池の消耗状態を一目で確認することができる。
【発明を実施するための最良の形態】
【００１９】
以下、本発明の浄水器の実施の形態を、図面を参照しつつ具体的に説明する。
【００２０】
まず、浄水器の一例について説明する。図１に示すように、この浄水器１は、浄化すべき原液２１を取り入れる取り入れ口２２、浄化すべき原液２１をその内部を透過させることによって浄化するフィルタ本体２３、及び浄化液２４を取り出す取り出し口２５を有するフィルタ２０と、フィルタ２０をその中に収納する収納室４１、取り入れ口２２に連なる導入配管４２、及び取り出し口２５から取り出された浄化液２４を外部に導出する導出配管４３を有する外部ケース４０と、その内部に収納されたコイン型電池６から電力を供給する電源部２と、を備えた浄水器１であって、図２及び図３に示すように、上述した電源部２が、コイン型電池６を保持する電池ケース３、コイン型電池６の陰極６ａと電気的に接続可能な陰極端子５、及びコイン型電池６を保持した状態でコイン型電池６の陽極６ｂと電気的に接続可能な陽極端子４を有し、電池ケース３が、その正面部となる、高さが陽極端子４の高さと略同一の板状部材１０ａと、その両側面部となる、高さが陽極端子４の高さよりも高い二枚の板状部材１０ｂ，１０ｃとから構成された中空箱型形状の補強リブ１０を有し、陽極端子４が、補強リブ１０及び電池ケース３の側面の一部で形成される空間の内部に、電池ケース３の底面から上方に向けて配設されるとともに、補強リブ１０の正面部となる板状部材１０ａを覆うようにして折れ曲がり、補強リブ１０の正面部となる板状部材１０ａの表面に沿って再度電池ケース３の底面に向けて配設されてなり、補強リブ１０の正面部となる板状部材１０ａが、陽極端子４の上方からの応力による変形を防止するとともに、補強リブ１０の両側面部となる板状部材１０ｂ，１０ｃが、陽極端子４の側方からの応力による変形を防止することが可能である。この浄水器１においては、陰極端子５は電池ケース３の底面部に、コイン型電池６の陰極６ａと電気的に接続可能な状態で配設されている。また、陽極端子４及び陰極端子５のそれぞれは、ＩＣ基板（図示せず）や液晶パネル（図示せず）等に配線１２によって電気的に接続されている。この配線１２は、電池ケース３の底面部に設けられた防水用のゴムキャップ１１を通して電池ケース３の外部に配設されることが好ましい。
【００２１】
このように構成された浄水器１（図１参照）は、電源部２に配設された陽極端子４の、その上方及び／又は側方からの応力による変形が防止されていることから、陽極端子４の変形に起因するコイン型電池６の接触不良が有効に防止される。
【００２２】
この浄水器においては、上述した電源部２が、電池ケース３に着脱可能な蓋７を有し、この蓋７が、その電池ケース３の内側面と接触する部分８に陽極端子４及び補強リブ１０が挿入可能な溝９を有している。
【００２３】
このように構成することによって、電源部２の液密性を向上させることができるとともに、省スペース化を実現することができる。
【００２４】
また、この浄水器においては、電池ケース３と蓋７との間に、防水用のＯリング１３が配設されることが好ましい。このＯリング１３の材料としては、防水性に優れたものであることが好ましく、例えば、フッ素系樹脂、シリコンゴム、ニトリルゴム（ＮＢＲ）及びエチレンプロピレンゴム（ＥＰＤＭ）等を好適例として挙げることができる。
【００２５】
通常、浄水器は、水の飛散し易い場所に設置されて用いられることから、従来の浄水器のように電源部の液密性が十分でない場合は、その内部に水や水蒸気等が浸入して、電源部を構成する陽極端子及び陰極端子等の金属部分やコイン型電池自体が錆び、浄水器が故障することがある。また、電源部の内部まで水が浸入した浄水器に触れた場合には、感電等の事故を起こすこともある。この浄水器１（図１参照）は、電池ケース３と蓋７との間に、防水用のＯリング１３が配設されたものであることから、電源部２の液密性に優れ、上述した故障や感電等の事故が有効に防止されたものである。
【００２６】
陽極端子４及び陰極端子５の材料としては、常温で固体であり導電性を有するものであれば特に制限はなく、例えば、アルミニウム、チタン、クロム、鉄、コバルト、ニッケル、銅、亜鉛、ニオブ、モリブデン、ルテニウム、ロジウム、銀、錫、タンタル、タングステン、イリジウム、白金、金、鉛等を任意の組み合わせで含有する金属又は合金を挙げることができる。中でも、導電性の観点からは、白金、ロジウム、パラジウム等の白金族金属又はこれらを含有する銀−白金、白金−パラジウム等の合金を主成分とするものが好ましく、耐久性の観点からは銅、銀及び金が好ましい。
【００２７】
また、電池ケース３の材料としては、常温で固体であり電気絶縁性を有するものであれば特に制限はなく、例えば、ＡＢＳ樹脂、ＰＯＭ樹脂、ナイロン樹脂、ＰＰ樹脂及びＰＥ樹脂を挙げることができる。補強リブ１０の材料としては、上述した電池ケース３の材料として例に挙げた材料を好適に用いることができ、中でも、機械的強度に優れることから、特に、ＡＢＳ樹脂、ＰＯＭ樹脂が好ましい。
【００２８】
また、この浄水器においては、電池ケース３と補強リブ１０とが一体成形されてなるものであることが好ましい。このように構成することによって、補強リブ１０の機械的強度をさらに向上させることができるとともに、電源部２を安価なものとすることができる。
【００２９】
また、図４に示すように、浄水器１においては、電池ケース３及び蓋７の、それぞれの外部から観察可能な外周面上の所定の位置に、蓋７の着脱位置を表示する表示マーク１４が設けられていることが好ましい。
【００３０】
上述したように、電源部２を構成する陽極端子４（図２参照）を変形させる原因の一つとしては、この蓋７の着脱時のずれや偏り等が挙げられており、これまでに説明した浄水器は、図２に示すように、電池ケース３に補強リブ１０を設けて陽極端子４の変形を防止するだけでなく、図４に示すように、電池ケース３及び蓋７の、それぞれの外部から観察可能な外周面上の所定の位置、即ち、蓋７の溝９（図２参照）に陽極端子４（図２参照）及び補強リブ１０（図２参照）が挿入されるように着脱される位置に表示マーク１４を設け、表示マーク１４に合わせて蓋７を着脱することで正常な位置での着脱が常に実現され、陽極端子４（図２参照）の変形がさらに防止される。
【００３１】
この表示マーク１４は、電池ケース３及び蓋７のそれぞれ外周面上に、印刷されて設けられたものであってもよく、また、シール等を貼付したものであってもよい。また、電池ケース３及び蓋７のそれぞれの外周面上の所定の位置に凹凸状の表示マーク１４が設けられるように、電池ケース３及び蓋７を成形してもよい。
【００３２】
また、図５（ａ）及び（ｂ）に示すように、陽極端子４は、補強リブ１０の正面部となる板状部材１０ａと、補強リブ１０の両側面部となる板状部材１０ｂ，１０ｃと、電池ケース３の側面の一部とで形成される空間の内部に、略コの字状に折り曲げた陽極端子４を挿入することによって配設することができる。
【００３３】
また、陽極端子４が、補強リブ１０及び電池ケース３の側面の一部で形成される空間の内部に配設された部位の両側部に、その両側部の少なくとも一部が垂直に折れ曲がることによって形成された補強部１５を有することが好ましい。この補強部１５により、陽極端子４自体の機械的強度をさらに向上させることができる。このような補強部１５を有する陽極端子４は、例えば、図６（ａ）に示すような形状に切り出された略十字型の形状の金属板状部材１６を、所望の形状となるように、例えば、図６（ｂ）に示すような形状に折り曲げることによって容易に形成することができる。この陽極端子４の補強部１５の大きさは、補強リブ１０（図２参照）及び電池ケース３（図２参照）の側面の一部で形成される空間の大きさに応じて適宜決定される。
【００３４】
また、図１に示すように、浄水器１に用いられるフィルタ２０としては、浄化すべき原液を有効に浄化することができ、メンテナンスが容易であるものであれば特に制限はないが、例えば、浄化すべき原液２１を取り入れる取り入れ口２２と、浄化すべき原液２１をその内部を透過させることによって浄化するフィルタ本体２３と、浄化液２４を取り出す取り出し口２５と、このフィルタ本体２３をその中に収納すべくフィルタ本体２３を囲繞するようにして配設された、原液取り入れ口２２及び浄化液取り出し口２５以外は密閉されたフィルタケース２６とを備えたフィルタカートリッジであることが好ましい（図１に示す浄水器１においては、フィルタ２０としてフィルタカートリッジを用いた場合を示す）。
【００３５】
また、フィルタ２０としては、その端部３０側から浄化液２４を取り出す構造を有するものであってもよく、その外周壁３１側から浄化液２４を取り出す構造を有するものであってもよい。
【００３６】
このようなフィルタ２０としては、例えば、中空糸製、セラミックス製（その形状としては交互に目封じしたハニカム形状のものやモノリス型形状のもの等がある）、繊維状や粒状の活性炭製等を挙げることができる。中でも、耐熱性や耐食性に優れるセラミックスフィルタを備えたものを好適に用いることができる。また、セラミックスフィルタと活性炭とを組み合わせたものであってもよい。
【００３７】
また、上述したフィルタケース２６の材料としては、例えば、成形性が容易で、かつ、使用後の回収リサイクルが容易な、ＰＰ樹脂、ＡＢＳ樹脂及びＰＶＤＦ樹脂等の合成樹脂を挙げることができる。
【００３８】
また、外部ケース４０の材料としては、例えば、ステンレス等の金属、ＡＢＳ樹脂及びアクリル樹脂等のプラスチック等を挙げることができる。
【００３９】
なお、浄水器１で浄化される原液２１としては特に制限はなく、例えば、水道水、化学工業、食品工業等で用いられる各種液体等を挙げることができる。
【００４０】
また、図示は省略するが、この浄水器においては、各種情報を検出する検出器や、各種情報の変化を表示する表示部等をさらに備えたものであってもよい。上述した検出器としては、例えば、積算流量計、稼動中の浄水器から流出する浄化液の浄化度合い（水の清浄度）を測定する検出器、例えば、ｐＨ計等を挙げることができる。
【００４１】
次に、浄水器の他の例について説明する。図７に示すように、浄水器５１は、フィルタ２０と、外部ケース４０と、各種情報の変化を表示する表示部６０と、を備えた浄水器５１であって、図８に示すように、表示部６０が、表示を行う液晶基板６１と、その表面に配線用の複数の孔６３が穿設された、液晶基板６１に電気信号を送信するＩＣ基板６２と、液晶基板６１及びＩＣ基板６２を収納する透明な表示ケース６４と、を有し、ＩＣ基板６２の孔６３が封止されてなるとともに、液晶基板６１とＩＣ基板６２とが、この順に表示ケース６４の内部に積層されてなり、表示ケース６４の内部に積層されたＩＣ基板６２上に、ＩＣ基板６２の表面全体を密着して覆うように、防水用のシール層６５がさらに積層されてなるものである。
【００４２】
この表示部６０は、耐水性の低い液晶基板６１とＩＣ基板６２とを有するものであることから、その内部に水が浸入すると、液晶基板６１の表示面が曇ったり、ＩＣ基板６２がショートしてしまう等の問題があったが、この浄水器５１（図７参照）においては、表示ケース６４内に積層されたＩＣ基板６２上に、ＩＣ基板６２の表面全体を密着して覆うように、例えば、ボンド等の樹脂を含む溶剤を流し込むことによって形成されたシール層６５が積層されていることから、液晶基板６１の表示面の曇りやＩＣ基板６２のショート等を防止することができる。
【００４３】
液晶基板６１及びＩＣ基板６２としては、ガラスエポキシ（ＦＲ−４）で構成されたものを好適に用いることができる。
【００４４】
また、上述したシール層６５の材料としては、例えば、二液混合硬化樹脂、熱硬化樹脂、又は光硬化樹脂等を好適に用いることができる。
【００４５】
また、シール層６５の表面に、透明な表面層６６がさらに積層されてなることが好ましい。このように構成することによって、表示部６０の防水効果をさらに向上させることができる。
【００４６】
また、表示ケース６４の内部に積層された液晶基板６１とＩＣ基板６２との間に、液密性を有するシール部材６８が配設されてなることが好ましい。これにより、仮にＩＣ基板６２内に水が浸入した場合であっても、液晶基板６１までの水の浸入を防ぎ、液晶基板６１の表示面の曇りが有効に防止される。
【００４７】
また、表示ケース６４の内部に積層されたＩＣ基板６２上の少なくとも一部に、ＩＣ基板６２を表示ケース６４に固定するための固定部材６７が配設されてなることが好ましい。
【００４８】
浄水器５１に用いられるフィルタ２０（図７参照）及び外部ケース４０（図７参照）は、図１に示す浄水器にて説明したフィルタ２０（図１参照）及び外部ケース４０（図１参照）と同様に構成されたものを好適に用いることができる。
【００４９】
また、図示は省略するが、この浄水器は、各種情報を検出する検出器をさらに備え、その検出器からの情報を上述した表示部６０にて表示するように構成されたものであってもよい。また、図１に示した電源部２を備えてなるものであってもよい。
【００５０】
次に、本発明の浄水器の一の実施の形態について説明する。図９に示すように、本実施の形態の浄水器７１は、フィルタ２０と、外部ケース４０と、各種情報の変化を表示する表示部８０と、その内部に収納された電池７２から表示部８０に電力を供給する電源部７３と、を備えた浄水器７１であって、図１０に示すように、表示部８０が、円形状８１と、円形状８１に隣接して一方向に複数配列された三日月形状８２と、これらの形状の周りを囲う点線の長円形状８３とを点灯して表示可能な表示面８５を有する液晶基板８４から構成され、各種情報が変化する前には、表示面８５の円形状８１、及び三日月形状８２の全てが点灯し、各種情報の変化に伴い、三日月形状８２が円形状８１から遠い順に徐々に消灯し、最終的に、円形状８１も消灯し、長円形状８３の点線の一部が、点灯部位が長円形状に沿って移動するように点灯して、各種情報の変化の経緯を表示するものであることを特徴とする。
【００５１】
本実施の形態においては、各種情報として、図９に示すように、電源部７３に収納された電池７２の残りの電力を表示する浄水器７１を例として説明する。即ち、本実施の形態の浄水器７１は、電源部７３に収納された電池７２の電力が最大のときには、図１０に示すように、表示面８５の円形状８１、及び三日月形状８２の全てが点灯し、電池７２（図９参照）の電力の消費とともに、三日月形状８２が円形状８１から遠い順に徐々に消灯し、電池７２（図９参照）の交換時期には、円形状８１も消灯し、長円形状８３の点線の一部が、点灯部位が長円形状に沿って移動するように点灯して、電池７２（図９参照）の交換時期を表示するものである。
【００５２】
このように構成することによって、電源部７３（図９参照）に収納した電池７２（図９参照）の消耗状態を一目で確認することができる。
【００５３】
図１０においては、三日月形状８２が三つのものを示しているが、その数はこれに限定されることはなく、何個であってもよい。
【００５４】
また、本実施の形態に用いられる表示部８０は、その表示面８５に、電池７２（図９参照）の消耗量が数値的に分かるような表示、例えば、図１０においては、１００％、５０％、０％等の数値表示を、円形状８１及び三日月形状８２の上下のいずれかの位置に表示可能に構成されたものであってもよい。
【００５５】
また、本実施の形態の浄水器７１（図９参照）は、各種情報を検出する検出器をさらに備え、その検出器からの情報を、これまでに説明した電池７２（図９参照）の消耗状態を示す円形状８１、三日月形状８２及び長円形状８３と同一表示面８５上に表示するように構成されていてもよい。
【００５６】
また、本実施の形態の浄水器７１（図９参照）においては、電源部７１（図９参照）が、図１に示した電源部２と同様に構成されたものであってもよく、また、表部部８０が、図８に示した表示部６０と同様に構成されたものであってもよい。また、本実施の形態に用いられるフィルタとしては、図１に示す浄水器の一例において説明したフィルタを好適に用いることができる。
【実施例】
【００５７】
以下、本発明を実施例によってさらに具体的に説明するが、本発明はこれらの実施例によっていかなる制限を受けるものではない。
【００５８】
（参考例１）
セラミックスからなるフィルタと、電池ケース、陽極端子、陰極端子、及び蓋を有する電源部と、演算部を有するＩＣ基板と、を備えた浄水器（参考例１）を製造した。この電池ケースは、ＡＢＳ樹脂を材料とし、その内部にコイン型電池（型式：ＣＲ２３５４）を保持することができるような、外周の半径が１８ｍｍ、内周の半径が１５ｍｍ、高さが１５ｍｍの円筒形状となるように形成した。また、この電池ケースには、その正面部となる、高さが陽極端子の高さと略同一の板状部材と、その両側面部となる、高さが陽極端子の高さよりも１ｍｍ高い二枚の板状部材とから構成された中空箱型形状の補強リブを配設した。また、蓋は、ＡＢＳ樹脂を材料とし、その電池ケースの内側面と接触する部分に、陽極端子及び補強リブが挿入可能な溝を有し、電池ケースと液密に着脱可能となるような形状に形成した。
【００５９】
また、陽極端子及び陰極端子は、リン青銅を材料として形成した。陽極端子は、まず、補強リブ及び電池ケースの側面の一部で形成される空間の内部に、電池ケースの底面から上方に向けた状態で配設した後、補強リブの正面部となる板状部材を覆うようにして折り曲げ、補強リブの正面部となる板状部材の表面に沿って再度電池ケースの底面に向けた状態で配設した。また、陰極端子は、電池ケースの底面に配設した。この陽極端子及び陰極端子は演算部を有するＩＣ基板にリード線を用いて電気的に接続した。
【００６０】
（比較例１）
電池ケースの補強リブが、正面部となる、高さが陽極端子の高さと略同一の一枚の板状部材のみからなり、陽極端子を、この板状部材と電池ケースの側面との間の空間に、電池ケースの底面から上方に向けた状態で配設した後、板状部材を覆うようにして折り曲げ、板状部材の表面に沿って再度電池ケースの底面に向けた状態で配設した以外は、参考例１の浄水器と同様に構成された浄水器を製造した。
【００６１】
（比較例２）
電池ケースの補強リブが、両側面部となる、高さが陽極端子の高さと略同一の二枚の板状部材のみからなる以外は、参考例１の浄水器と同様に構成された浄水器を製造した。
【００６２】
（比較例３）
電池ケースの補強リブが、その正面部となる、高さが陽極端子の高さと略同一の板状部材と、その両側面部となる、高さが陽極端子の高さと略同一の二枚の板状部材とから構成された中空箱型形状のものである以外は、参考例１の浄水器と同様に構成された浄水器を製造した。
【００６３】
（比較例４）
電池ケースの補強リブが、その正面部となる、高さが陽極端子の高さと略同一の板状部材と、その両側面部となる、高さが陽極端子の高さと略同一の二枚の板状部材とから構成された中空箱型形状であり、陽極端子が、補強リブ及び電池ケースの側面の一部で形成される空間の内部に配設された部位に、その両端部から垂直に折れ曲がる補強板を有する以外は、参考例１の浄水器と同様に構成された浄水器を製造した。
【００６４】
参考例１及び比較例１〜４の浄水器において、電池ケースへのコイン型電池の収納及び蓋の着脱の操作を１００回繰り返して行い、陽極端子の変形によるコイン型電池の接触不良が生じるまでの回数を測定した。結果を表１に示す。
【００６５】
【表１】
2008119691.tif 000003
【００６６】
表１に示すように、本参考例の浄水器は、１００回の操作を終了した時点で、コイン型電池の接触不良は生じなかった。比較例１及び２の浄水器は１４回、比較例３の浄水器は４６回、そして比較例４の浄水器は８５回の着脱操作で陽極端子が折れ曲がり接触不良を生じた。
【００６７】
次に、参考例１及び比較例１〜３の浄水器において、陽極端子の上方又は側方からの応力耐久試験を行った。試験方法は、電源部の蓋を正常の着脱位置からずれた状態で電池ケースに装着し、陽極端子に対して、上方又は側方からの応力を加え、その後に、正常な着脱位置にて蓋を再度装着した状態でコイン型電池の通電の有無を確認した。結果を表２に示す。
【００６８】
【表２】
2008119691.tif 000004
【００６９】
参考例１の浄水器は、上方及び側方いずれからの応力を加えた場合であっても通電が確認された。比較例１及び２の浄水器は、いずれの場合においてもコイン型電池は通電不可となり、比較例３の浄水器においては、上方からの応力を加えた場合にコイン型電池は通電不可となった。
【産業上の利用可能性】
【００７０】
本発明の浄水器は、例えば、水道水、化学工業、食品工業等で用いられる各種液体等を浄化する浄水器として用いることができる。
【図面の簡単な説明】
【００７１】
【図１】浄水器の一例を模式的に示す断面図である。
【図２】図１の浄水器に用いられる電源部を模式的に示す断面図である。
【図３】図１の浄水器に用いられる電源部を模式的に示す斜視図である。
【図４】図１の浄水器を模式的に示す斜視図である。
【図５】図５（ａ）及び図５（ｂ）は、図１の浄水器に用いられる電源部の陽極端子を補強リブに配設する工程を模式的に示す斜視図である。
【図６】図６（ａ）は、図１の浄水器に用いられる電源部の陽極端子を形成するための金属板状部材を模式的に示す平面図であり、図６（ｂ）は、図１の浄水器に用いられる電源部の陽極端子を模式的に示す斜視図である。
【図７】浄水器の他の例を模式的に示す断面図である。
【図８】図７の浄水器に用いられる表示部を模式的に示す断面図である。
【図９】本発明の浄水器の一の実施の形態を模式的に示す断面図である。
【図１０】本発明の浄水器の一の実施の形態に用いられる表示部を模式的に示すである平面図である。
【図１１】従来の浄水器に用いられる電源部を模式的に示す断面図である。
【図１２】従来の浄水器に用いられる電源部を模式的に示す断面図である。
【符号の説明】
【００７２】
１：浄水器、２：電源部、３：電池ケース、４：陽極端子、５：陰極端子、６：コイン型電池、６ａ：陰極、６ｂ：陽極、７：蓋、８：電池ケースの内側面と接触する部分、９：溝、１０：補強リブ、１１：ゴムキャップ、１２：配線、１３：Ｏリング、１４：表示マーク、１５：補強部、１６：金属板状部材、２０：フィルタ、２１：原液、２２：取り入れ口、２３：フィルタ本体、２４：浄化液、２５：取り出し口、２６：フィルタケース、３０：端部、３１：外周壁、４０：外部ケース、４１：収納室、４２：導入配管、４３：導出配管、５１：浄水器、６０：表示部、６１：液晶基板、６２：ＩＣ基板、６３：孔、６４：表示ケース、６５：シール層、６６：表面層、６７：固定部材、６８：シール部材、７１：浄水器、７２：電池、７３：電源部、８０：表示部、８１：円形状、８２：三日月形状、８３：長円形状、８４：液晶基板、８５：表示面、９０：電源部、９１：コイン型電池、９２：電池ケース、９３：蓋、９４：接触部分、９５：陽極端子、９６：溝。
【図１】
2008119691.tif 000005
【図２】
2008119691.tif 000006
【図３】
2008119691.tif 000007
【図４】
2008119691.tif 000008
【図５】
2008119691.tif 000009
【図６】
2008119691.tif 000010
【図７】
2008119691.tif 000011
【図８】
2008119691.tif 000012
【図９】
2008119691.tif 000013
【図１０】
2008119691.tif 000014
【図１１】
2008119691.tif 000015
【図１２】
2008119691.tif 000016